(57)【要約】【課題】携行物品から身体へかかる負荷を効果的に軽減しながら、持ち手、肩紐の双方に使用可能なパッド部材を提供することを課題とする。【解決手段】携行物品４から身体へかかる負荷を軽減するためのパッド部材１であって、パッド本体２と、パッド本体２に設けられた荷重分散部３とを備え、前記荷重分散部３は、低反発弾性材を有していることを特徴とする。【選択図】図１
2015047434.tif 000002
【特許請求の範囲】
【請求項１】
携行物品から身体へかかる負荷を軽減するためのパッド部材であって、
パッド本体と、パッド本体に設けられた荷重分散部とを備え、
前記荷重分散部は、低反発弾性材を有していることを特徴とするパッド部材。
【請求項２】
前記低反発弾性材の厚みが１０〜５０ｍｍの範囲であることを特徴とする請求項１に記載のパッド部材。
【請求項３】
前記パッド本体は、そのパッド本体を携行物品に装着するための装着部を備えることを特徴とする請求項１又は請求項２に記載のパッド部材。
【請求項４】
前記装着部は、前記携行物品への着脱機能を有することを特徴とする請求項３に記載のパッド部材。
【請求項５】
前記装着部は、面ファスナーを備えていることを特徴とする請求項４に記載のパッド部材。
【請求項６】
前記装着部は、スナップボタンを備えていることを特徴とする請求項４に記載のパッド部材。
【請求項７】
前記パッド本体は、前記荷重分散部を出し入れ可能な収容部を備えることを特徴とする請求項１〜６の何れかに記載のパッド部材。
【請求項８】
前記パッド本体は、長手方向に湾曲していることを特徴とする請求項１〜７の何れかに記載のパッド部材。
【請求項９】
前記パッド本体は、滑り止め機能を有することを特徴とする請求項１〜８の何れかに記載のパッド部材。
【請求項１０】
前記低反発弾性材は、ウレタンフォームからなることを特徴とする請求項１〜９の何れかに記載のパッド部材。
【請求項１１】
請求項１〜１０の何れかに記載の前記パッド部材を備えていることを特徴とする携行物品。
【発明の詳細な説明】
【技術分野】
【０００１】
本発明は、携行物品に設けられ、身体への負荷を軽減するための、パッド部材に関するものである。
【背景技術】
【０００２】
鞄、袋、バッグ、リュックサックやショルダーバッグ等を携行する際に、それら携行物品の持ち手や肩紐が、それら携行物品に収容された内容物の荷重によって手や肩に食い込み、痛みが発生する問題がある。場合によっては、皮膚がうっ血して痕が残る場合もある。
【０００３】
そうした身体への負荷を軽減するため、携行物品に装着するパッド部材が考えられてきた。
【０００４】
特許文献1には、鞄の持ち手に装着可能なパッド部材であって、指を添わせるための溝を有するゲル体による荷重分散部を備えることによって、クッション性、安定性、荷重の分散性を高めたパッド部材が記載されている。
特許文献２には、携行物品の持ち手、肩紐に装着可能なパッド部材であって、クッション性、通気性、滑り止めに優れた材質でパッド本体を構成したパッド部材が記載されている。
【０００５】
しかし、前述のパッド部材による荷重の分散や、クッション性は十分なものとは言い難い。また、特許文献１のパッド部材は、クッション部分に溝を設けることで荷重の分散性を高めているが、バッグや袋など、指で掴み持つ携行物品でなければ、その効果を得ることができない。
【先行技術文献】
【特許文献】
【０００６】
【特許文献１】実用新案登録第３１００５３５号
【特許文献２】実用新案登録第３１６６６６４号
【発明の概要】
【発明が解決しようとする課題】
【０００７】
よって本発明は、携行物品から身体へかかる負荷を効果的に軽減しながら、持ち手、肩紐の双方に使用可能なパッド部材を提供することを課題とする。
【課題を解決するための手段】
【０００８】
上記課題を解決するために、本発明は、携行物品から身体へかかる負荷を軽減するためのパッド部材であって、パッド本体と、パッド本体に設けられた荷重分散部とを備え、前記荷重分散部は、低反発弾性材を有していることを特徴とする。
【０００９】
本発明のパッド部材によれば、低反発弾性材によって荷重分散部を形成することにより、高いクッション性を備えると共に、接触している部分の形に合わせて形状を変化させるため、高い安定性と荷重分散性を発揮する。これにより、携行物品の持ち手や肩紐などのパッド部材として積極的に使用することができる。
【００１０】
本発明の好ましい形態では、前記低反発弾性材の厚みが１０〜５０ｍｍの範囲であることを特徴とする。
そのような構成とすることにより、非常に高いクッション性と安定性を生むことが可能となる。また、接触している部分の凹凸に馴染むように十分に厚みを持たせることで、なで肩の人でもずれ落ちないように安定して装着することが可能となる。
【００１１】
本発明の好ましい形態では、前記パッド本体は、そのパッド本体を携行物品に装着するための装着部を備えることを特徴とする。
そのような構成とすることにより、携行物品自体にパッド部材を装着しておくことが可能となる。
【００１２】
本発明の好ましい形態では、前記装着部は、前記携行物品への着脱機能を有することを特徴とする。
そのような構成とすることにより、パッド部材の着脱を容易に行うことができ、携行物品を変更する際にも、一つのパッド部材を使いまわすことが可能となる。
【００１３】
本発明の好ましい形態では、前記装着部は、面ファスナーを備えていることを特徴とする。
面ファスナーを装着部に用いることで、パッド部材の着脱が容易に可能となる。
【００１４】
本発明の好ましい形態では、前記装着部は、スナップボタンを備えていることを特徴とする。
スナップボタンを装着部に用いることで、パッド部材の着脱が容易に可能となる。
【００１５】
本発明の好ましい形態では、前記パッド本体は、前記荷重分散部を出し入れ可能な収容部を備えることを特徴とする。
そのような構成とすることにより、荷重分散部が劣化等により正常に機能しなくなった際も、新たな荷重分散部と交換することが可能となる。また、乾燥させるといった、手入れを行うことが容易に可能となる。
【００１６】
本発明の好ましい形態では、前記パッド本体は、長手方向に湾曲していることを特徴とする。
そのような構成とすることにより、携行物品の持ち手や肩の形状に、より自然に接するパッド部材を形成することが可能となる。
【００１７】
本発明の好ましい形態では、前記パッド本体は、滑り止め機能を有することを特徴とする。
滑り止め機能を有することにより、荷重分散部の変形による安定に加えて、より安定性を高めることが可能となる。具体的には、パッド本体を滑り止め材料で形成する、滑り止め部材を装着する、等の方法が考えられる。
【００１８】
本発明の好ましい形態では、前記低反発弾性材は、ウレタンフォームからなることを特徴とする。
【００１９】
本発明は、携行物品であって、請求項１〜１０に記載の前記パッド部材を備えていることを特徴とする。
【発明の効果】
【００２０】
本発明によれば、より効果的に荷重を分散・軽減しながら、携行物品の持ち手と肩紐の、双方に使用可能なパッド部材を提供することが可能となる。
【図面の簡単な説明】
【００２１】
【図１】本発明の実施形態１に係るパッド部材を示す斜視図である。
【図２】本発明の実施形態１に係るパッド部材を示す斜視図である。
【図３】本発明の実施形態1に係るパッド部材を装着した携行物品を示す斜視図である。
【図４】本発明の実施形態１に係るパッド部材を装着した携行物品の使用例を示す斜視図である。
【図５】本発明の実施形態１に係るパッド部材を装着した携行物品の使用例を示す断面図である。
【図６】本発明の実施形態１に係るパッド部材を装着した携行物品の使用例を示す断面図である。
【図７】本発明の実施形態２に係るパッド部材示す斜視図である。
【図８】本発明の実施形態２に係るパッド部材を装着した携行物品の使用例を示す断面図である。
【発明を実施するための形態】
【００２２】
以下、本発明の実施形態について図１ないし図８を参照して説明する。
＜実施形態１＞
図１〜図６は、本発明の実施形態１に係るパッド部材を示すものである。これらの図において、１はパッド部材を示し、２はパッド本体を、３は荷重分散部を、４は携行物品を、５はショルダーベルトのベルト本体を、６は鞄の持ち手をそれぞれ示している。次いで、これらの詳細について説明する。
【００２３】
パッド部材１は、図１、図２に示すように、パッド本体２と、荷重分散部３とを備えている。
【００２４】
パッド本体２は、そのパッド本体２を携行物品４に装着するための装着部２１と、荷重分散部３を保持しておくための収容部２２と、を備えている。パッド本体２を、滑り止め素材で構成することが、後述の理由から好ましい。パッド本体２は、取り付けた携行物品４の持ち手や肩紐の形状に沿うように、湾曲していてもよい。
【００２５】
装着部２１は、パッド本体２を携行物品４に装着するための部材であって、本実施形態では面ファスナーによって構成されている。符号２１ａが面ファスナー雄部を、符号２１ｂが面ファスナー雌部を示している。装着部２１は、スナップボタンやファスナー等によって構成されていてもよい。また、着脱機能を備えず、ベルトループ状に形成しても構わない。
【００２６】
収容部２２は、荷重分散部３をパッド本体２に保持しておくため部分である。収容部２２を設けず、荷重分散部３をパッド本体２内部に直接収容していても構わないが、荷重分散部３の交換や手入れができないため、あまり好ましくない。
【００２７】
荷重分散部３は、２０ｍｍの厚みを備えた、低反発弾性材によって構成されている。荷重分散部３は、１０〜５０ｍｍの範囲に収まる厚みであれば構わないが、２０ｍｍ程度の厚みが、機能を十分に発揮しながら扱いやすい大きさであるため、好ましい。
【００２８】
荷重分散部３の厚さが１０ｍｍ未満の場合、身体へ接触する部分の凹凸が深い場合に、その凹凸に添って十分に馴染まない場合も考えられる。
荷重分散部３の厚さが１０ｍｍ以上の場合、身体へ接触する部分の凹凸が深い場合でも、その凹凸に添って十分に馴染ませることが可能になるが、あまりに厚すぎると嵩張る上に、デザイン性を低下させる恐れがあり、好ましくない。
【００２９】
携行物品４は、鞄やリュックサック、ショルダーバッグ等であって、持ち手や肩紐、ショルダーベルト等を備えるものをいう。
【００３０】
ベルト本体５は、ショルダーベルトのベルト部分を示している。持ち手６は鞄の持ち手部分を示している。
【００３１】
図３〜５は、ショルダーバッグである携行物品４に、パッド部材１を装着した使用例を示す。
【００３２】
本実施形態によれば、パッド部材１が装着部２１を備えることにより、携行物品４のベルト本体５に、自在に取り付け可能となる。ベルト本体５や持ち手６等の幅は製品ごとに異なっているが、面ファスナーを用いて装着部２１を形成することにより、多少であれば気にすることなく図３のように装着することができ、好ましい。
【００３３】
図４に示すように、肩にベルト本体５をかける場合、人間の首元から腕にかけての傾斜には個人差があるが、荷重分散部３が１０〜５０ｍｍ（本実施形態では２０ｍｍ）の厚みを備えていることで、傾斜の大きい場合にも、十分な安定性を得ることが可能となる。また、パッド本体２を滑り止め素材で構成することで、移動等の振動による肩からの滑り落ちと、ベルト本体５のズレを防止する効果が期待できる。
【００３４】
図５に示すように、肩部分の起伏の形状は各人により様々だが、荷重分散部３が低反発弾性材によって構成されることにより、どのような形状であっても密着し、高い安定性を得ることが可能となる。また、荷重分散部３が自在に変形し、密着することによって、肩に沿った形状に加工することなく、パッド部材１の接触面積を最大限確保することができ、高い荷重分散性を備えることが可能となる。
【００３５】
図６は、手提げ鞄である携行物品４の持ち手６に、パッド部材１を装着した使用例を示す。
【００３６】
図６に示すように、パッド部材１が装着部２１を備えることにより、持ち手を外すことのできない携行物品４にも、パッド部材１を装着することが可能となる。また、荷重分散部３を、低反発弾性で形成することによって、指に沿った溝を形成せずとも、パッド部材の接触面積を最大限確保することができ、高い荷重分散性を備えることが可能となる。
【００３７】
＜実施形態２＞
図７、図８は、本実施形態２に係るパッド部材を示すものである。なお、これらの図において図１ないし図６と基本的に同一の構成要素については、同一の符号を付してその説明を簡略化する。
【００３８】
実施形態２におけるパッド部材１は、ショルダーバッグである携行物品４の、ベルト本体５の一部が、パッド本体２を兼ねた例を示している。ここでは、低反発部材で形成された荷重分散部３の片面を、ベルト本体５の内面に接着剤等により固着状態に取り付ける例を示している。なお、パッド本体２を兼ねたベルト本体５の内面に、荷重分散部３を収容するための収容部２２を設けてもよい。
【００３９】
本実施形態のように、荷重分散部３をベルト本体５に直接備え付けることによって、図８に示すように、荷重分散部３を、パッド本体２を通してではなく、直接肩と密着させることが可能となる。そのため、荷重分散部３の本来の密着変形を行うことが可能となり、非常に高いクッション性と密着性、及び荷重分散性を備えることが可能となる。
【産業上の利用可能性】
【００４０】
本発明を用いることで、高い荷重分散性を備えた、持ち手、肩紐の双方に使用可能なパッド部材の提供が可能となる。
【符号の説明】
【００４１】
１  パッド部材
２  パッド本体
２１  装着部
２１ａ  面ファスナー雄部
２１ｂ  面ファスナー雌部
２２  収容部
３  荷重分散部
４  携行物品
５  ベルト本体
６  持ち手
【図１】
2015047434.tif 000003
【図２】
2015047434.tif 000004
【図３】
2015047434.tif 000005
【図４】
2015047434.tif 000006
【図５】
2015047434.tif 000007
【図６】
2015047434.tif 000008
【図７】
2015047434.tif 000009
【図８】
2015047434.tif 000010